(57)【特許請求の範囲】
【請求項１】
ドレイン受皿と該ドレイン受皿に連成された排水管部とを備え、露天床面に配設されるドレイン本体と、ドレイン受皿の上面に固定されて、露天床面上に敷設されるシート防水層の縁部を挟持する防水層押え盤と、該防水層押え盤上に配設されるストレーナとからなるルーフドレインに用いられるものであり、そのドレイン受皿を、下部に通水口を備えたカバー体で囲繞して、該通水口によってドレイン受皿内に流入する雨水量を制限するようにした過流防止装置において、
カバー体を、下部に通水口を備えた固定カバーと、該固定カバーに上下動可能に嵌装される可動カバーとで構成して、可動カバーを保持手段によって所要の高さ位置に保持することにより、カバー体の高さを調整可能とし、
さらに保持手段が、その下端を防水層押え盤に螺合して、カバー体の外側傍に立設され、かつ可動カバーから突成された支持縁に挿通される螺子杆と、該螺子杆に螺装されて、可動カバーの支持縁を位置調整可能に固定するナットとによって構成されていることを特徴とするル−フドレインの過流防止装置。
【請求項２】
前記固定カバーに形成した通水口に、該通水口の開口度を調整可能なスライド蓋を設けたことを特徴とする請求項１記載の過流防止装置。
【発明の詳細な説明】
【０００１】
【発明の属する技術分野】
本発明は、ルーフドレインの流量制限に使用する過流防止装置に関する。
【０００２】
【従来の技術】
集中豪雨或は台風等で、その地域の下水本管の許容流量を越える大量の降雨があった場合に、周囲の露天床面からルーフドレインに流入する雨水量を制限し、一時的に屋上やバルコニーに雨水を貯留して下水本管への流出を遅らせるために用いられるルーフドレインの過流防止装置が知られている。
【０００３】
かかる過流防止装置ａは、図９に示すように、屋上やバルコニー等の露天床面ｆに配設されたルーフドレインｂのドレイン受皿ｃを囲繞する所要高さのカバー体ｄを備えており、該カバー体ｄの下部に、ドレイン受皿ｃ内への雨水の流入量を制限する通水口ｅが形成されている。ここで、該カバー体ｄの高さは、その設置場所において一時的に貯留可能な雨水の水深に応じて設定され、また、通水口ｅの広さは、ドレイン受皿ｃに流入する雨水を所定の流量に制限し得る広さに設定されている。
【０００４】
【発明が解決しようとする課題】
ところで、従来の過流防止装置ａにあっては、カバー体ｄの高さ寸法及び通水口ｅの広さ寸法が施工現場毎に異なるため、受注時に各寸法の指示を受け、該指示寸法に従ってその都度製作しなければならなかった。このため、生産性が悪く、また、納品までに時間を要するといった問題点があった。
【０００５】
本発明は、かかる従来の問題点を解消し得るル−フドレインの過流防止装置を提供することを目的とするものである。
【０００６】
【課題を解決するための手段】
本発明は、ドレイン受皿と該ドレイン受皿に連成された排水管部とを備え、露天床面に配設されるドレイン本体と、ドレイン受皿の上面に固定されて、露天床面上に敷設されるシート防水層の縁部を挟持する防水層押え盤と、該防水層押え盤上に配設されるストレーナとからなるルーフドレインに用いられるものであり、そのドレイン受皿を、下部に通水口を備えたカバー体で囲繞して、該通水口によってドレイン受皿内に流入する雨水量を制限するようにした過流防止装置において、
カバー体を、下部に通水口を備えた固定カバーと、該固定カバーに上下動可能に嵌装される可動カバーとで構成して、可動カバーを保持手段によって所要の高さ位置に保持することにより、カバー体の高さを調整可能とし、
さらに保持手段が、その下端を防水層押え盤に螺合して、カバー体の外側傍に立設され、かつ可動カバーから突成された支持縁に挿通される螺子杆と、該螺子杆に螺装されて、可動カバーの支持縁を位置調整可能に固定するナットとによって構成されていることを特徴とするル−フドレインの過流防止装置である。
【０００７】
ここで、カバー体の通水口を、想定される最大指示寸法に対応し得る必要かつ十分な広さに形成する一方、スライド蓋は、通水口の両側に配設される摺動ガイドに両側縁を嵌挿させて進退可能に設け、該スライド蓋を固定螺子で任意の位置に固定する構成が好適な実施態様として提案され得る。そして、このように、スライド蓋の進退操作を介して通水口の開口度を調整することによって、全ての施工現場に適用可能な流量調整機能を具備させることができる。
【０００８】
また、前記カバー体を、固定カバーと該固定カバーに上下動可能に嵌装される可動カバーとに分割形成して伸縮可能に設け、可動カバーを保持手段によって所要の高さ位置に保持することにより、カバー体の高さを調整可能としている。これにより、設置場所での貯留可能な雨水の水深に応じてカバー体の高さを調整することができ、全ての施工現場に適用し得る高さ調整機能を具備するものとなる。ここで、可動カバーを所要の高さ位置に保持する保持手段としては、カバー体の側傍に立設されて、可動カバーから突成された支持縁に挿通される螺子杆と、該螺子杆に螺装されて、可動カバーの支持縁を位置調整可能に固定するナットとによって構成している。
【０００９】
そして、上記のように、過流防止装置に高さ調整機能及び流量調整機能を具備させることにより、受注してから指示寸法に従って製作する従来の製作方法に代えて、予め、同一製品を大量生産することが可能であるため、生産性がよく、また、納期を大幅に短縮することができる。
【００１０】
【発明の実施の形態】
本発明にかかるル−フドレインの過流防止装置は、図１又は図６に示すように、ドレイン受皿３と該ドレイン受皿３に連成された排水管部５とを備え、露天床面ｆに配設されるルーフドレイン１の、そのドレイン受皿３を、下部に通水口２１を備えたカバー体１４で囲繞して、該通水口２１によってドレイン受皿３内に流入する雨水量を制限するようにした過流防止装置１３にあって、前記カバー体１４に、通水口２１の開口度を調整可能なスライド蓋２２を設けたことを特徴としている。また、カバー体１４を、固定カバー１５ａと該固定カバー１５ａに上下動可能に嵌装される可動カバー１５ｂとに分割形成して伸縮可能に設け、可動カバー１５ｂを保持手段によって適宜の高さ位置に保持することにより、カバー体１４の高さを調整可能としたことを特徴としている。
【００１１】
以下に、本発明の第一実施例を、図１〜図５について説明する。この実施例における過流防止装置１３は、縦引き排水用のルーフドレイン１に適用し得るように構成されている。図１に示すように、このルーフドレイン１のドレイン本体２は、円形のドレイン受皿３と、該ドレイン受皿３の中央に開口された排水孔４を囲繞するようにして下方に連成された排水管部５とを備えており、屋上やバルコニー等の平面状の露天床面ｆに埋設施工されている。前記ドレイン受皿３の上面には、露天床面ｆ上に敷設されるシート防水層（図示省略）の縁部を挟持する防水層押え盤６が、ドレイン受皿３に立設された螺子杆７ａと、該螺子杆７ａに螺装されるナット７ｂとによって固定されており、該防水層押え盤６上に多数の狭幅状通水間隙９を備えたストレーナ８が配設されている。該ストレーナ８は、その下部鍔縁１０を螺子１１によって防水層押え盤６に固定することにより、該防水層押え盤６を介してドレイン本体２に被着されている。
【００１２】
ドレイン本体２の排水管部５には、該排水管部５に上端を外嵌させることによって樋管１２が接続されている。これにより、周囲の露天床面ｆからストレーナー８の狭幅状通水間隙９を介してドレイン受皿３内に流入する雨水を排水孔４から樋管１２に流し込んでその排水を行い得るようになっている。
【００１３】
一方、この実施例における過流防止装置１３は、前記ドレイン受皿３を囲繞する円筒状のカバー体１４を備えている。該カバー体１４は、固定カバー１５ａと、該固定カバー１５ａより若干小径の可動カバー１５ｂとに分割形成されており、固定カバー１５ａ内に可動カバー１５ｂを上下動可能に嵌装させることによりカバー体１４を伸縮可能にしている。固定カバー１５ａには、その下端から外側方に突成された複数の支持縁１６が周方向に沿って等間隔で配設されており、可動カバー１５ｂの上端には、前記各支持縁１６と上下で一致する位置に複数の支持縁１７が夫々突成されている。また、カバー体１４の側傍には、上下一対となる各支持縁１６及び支持縁１７に夫々挿通される複数の螺子杆１８が、その下端を防水層押え盤６に螺合して立設されている。そして、下方の支持縁１６の上部位置で螺子杆１８に螺装されるナット１９の緊締作用により固定カバー１５ａが防水層押え盤６に固定されている。また、上方の支持縁１７の上下位置で螺子杆１８に夫々螺装される一対のナット２０ａ，２０ｂの緊締作用により該支持縁１７を挟持して位置調整可能に固定するようにしている。そして、この螺子杆１８とナット２０ａ，２０ｂとによって可動カバー１５ｂを所要の高さ位置に保持する保持手段が構成されており、これにより、カバー体１４の高さを調整し得るようになっている。尚、図４に示すカバー体１４の最大高さは、従来の受注製作において想定される最大指示寸法に対応し得る必要かつ十分な高さとなるように設定される。
【００１４】
前記カバー体１４を構成する固定カバー１５ａの下部には、複数の通水口２１が周方向に沿って等間隔で開口されており、各通水口２１には、その開口度を調整するためのスライド蓋２２が設けられている。ここで、通水口２１は、従来の受注製作において想定される最大指示寸法に対応し得る必要かつ十分な広さに設定されている。各通水口２１の左右両側には、図２，図３に示すように、断面クランク形の摺動ガイド２３，２３が対向状に配設されており、該摺動ガイド２３，２３に矩形状のスライド蓋２２の左右両側縁を嵌挿させることにより、該スライド蓋２２を上下方向に進退させ得るようになっている。また、該スライド蓋２２は、前面側から螺入される固定螺子２４を備えており、裏面側に突出する固定螺子２４の先端を固定カバー１５ａに圧接させることにより、図５に示すように、任意の高さ位置で固定し得るようになっている。
【００１５】
かかる構成にあって、ルーフドレイン１の施工時に、その地域の下水本管の許容流量を考慮し、スライド蓋２２の上下方向の進退操作及び固定螺子２４による固定操作を介して通水口２１の開口度を調整することにより、該通水口２１からドレイン受皿３に流入する雨水を所定の流量に制限することができる。また、可動カバー１５ｂの昇降操作及び保持手段による保持操作により、その設置場所での貯留可能な雨水の水深に応じてカバー体１４の高さを調整することができる。
【００１６】
図６〜図８は、第二実施例を示し、この実施例における過流防止装置１３は、横引き排水用のルーフドレイン１に適用し得るように構成されている。ここで、横引き排水用のルーフドレイン１のドレイン本体２は、図６に示すように、断面略Ｌ形のドレイン受皿３と該ドレイン受皿３から後方に連成された排水管部５とを備えており、床部ｘと壁部ｙとが直交する屋上やバルコニー等のコーナー部分の露天床面ｆに埋設施工されている。ドレイン受皿３上には、床部ｘの露天床面ｆと壁部ｙの立上り面に亘って敷設されるシート防水層（図示省略）の縁部を挟持する断面略Ｌ形の防水層押え盤６が乗載されており、該防水層押え盤６は、ドレイン受皿３に斜めに立設された螺子杆７ａと、該螺子杆７ａに螺装されるナット７ｂとによってドレイン受皿３に固定されている。また、該防水層押え盤６上には、多数の狭幅状通水間隙９を備え、かつ前部が斜めに傾斜したストレーナ８が配設されており、該ストレーナ８は、その上部鍔縁１０を螺子１１によって防水層押え盤６に固定することにより、該防水層押え盤６を介してドレイン本体２に被着されている。
【００１７】
また、前記ドレイン受皿３から後方に連成された排水管部５には、壁部ｙを挿通して外側方に延出される樋管１２の基部が螺着されている。これにより、周囲の露天床面ｆからストレーナー８を介してドレイン受皿３内に流入する雨水を樋管１２に流し込んで外側方に排水し得るようになっている。
【００１８】
一方、この第二実施例における過流防止装置１３は、図７に示すように、平面視でコ字形を呈するカバー体１４を備えており、該カバー体１４によってドレイン受皿３の矩形状の水平縁部が囲繞されている。該カバー体１４は、コ字形の固定カバー１５ａと、同じくコ字形で固定カバー１５ａより若干小さい可動カバー１５ｂとに分割形成されており、固定カバー１５ａ内に可動カバー１５ｂを上下動可能に嵌装させることによりカバー体１４が伸縮可能となっている。カバー体１４の左右両側には、図８に示すように、下端を前記防水層押え盤６に螺合して立設した螺子杆１８が夫々配設されており、第一実施例と同様に、固定カバー１５ａの下端に突成した支持縁１６に該螺子杆１８を挿通させてナット１９で緊締することにより、固定カバー１５ａが防水層押え盤６に固定されている。また、可動カバー１５ｂの上端に突成した支持縁１７に前記螺子杆１８を挿通させてナット２０ａ，２０ｂで緊締することにより、可動カバー１５ｂを所要の高さ位置に保持して、カバー体１４の高さを調整し得るようになっている。
【００１９】
また、カバー体１４を構成する固定カバー１５ａの下部には、その前面と左右側面に通水口２１が開口されており、各通水口２１には、その開口度を調整するための上述したスライド蓋２２が夫々設けられている。その他の構成は第一実施例と同じであり、同一部分に同一符号を付して重複する説明を省略する。
【００２０】
そして、このように過流防止装置１３を構成することにより、コーナー用のルーフドレイン１の過流防止装置１３にあっても、スライド蓋２２の上下方向の進退操作及び固定螺子２４による固定操作を介して通水口２１の開口度を調整することによって、該通水口２１からドレイン受皿３に流入する雨水を所定の流量に制限することができる。また、可動カバー１５ｂの昇降操作及び保持手段による保持操作によって、その設置場所での貯留可能な雨水の水深に応じてカバー体１４の高さを調整することができる。
【００２１】
尚、上記両実施例で説明したルーフドレイン１は、シート防水用及びアスファルト防水用として構成されており、防水層押え盤６を備えているが、モルタル防水用及び塗膜防水用として構成されるものは、該防水層押え盤６を具備しない。この場合、螺子杆１８は、下端をドレイン受皿３に直接螺合して立設されることとなる。また、該螺子杆１８は、施工時に、カバー体１４の高さを一度調整すれば、その後に高さを変えることはないため、余剰部分を切除してもよい。
【００２２】
【発明の効果】
本発明は上述したように、過流防止装置１３を構成するカバー体１４に、通水口２１の開口度を調整可能なスライド蓋２２を設けたから、過流防止装置１３に全ての施工現場に適用可能な流量調整機能を具備させることができる。
【００２３】
また、前記カバー体１４を、固定カバー１５ａと該固定カバー１５ａに上下動可能に嵌装される可動カバー１５ｂとに分割形成して伸縮可能に設け、可動カバー１５ｂを保持手段によって所要の高さ位置に保持することにより、カバー体１４の高さを調整可能としたから、過流防止装置１３に全ての施工現場に適用し得る高さ調整機能を具備させることができる。
【００２４】
そして、このように、過流防止装置１３に高さ調整機能及び流量調整機能を具備させることにより、受注してから指示寸法に従って製作する従来の製作方法に代えて、予め、同一製品を大量生産することが可能であるため、生産性が向上し、また、納期を大幅に短縮し得る等の優れた効果が得られる。
【図面の簡単な説明】
【図１】第一実施例にかかる過流防止装置の施工状態を示す縦断側面図である。
【図２】同上の過流防止装置の平面図である。
【図３】同上の過流防止装置の正面図である。
【図４】カバー体を最大高さに調整した状態を示す要部の部分断面図である。
【図５】スライド蓋を最大に開放した状態を示す作用説明図である。
【図６】第二実施例にかかる過流防止装置の施工状態を示す縦断側面図である。
【図７】同上の過流防止装置の平面図である。
【図８】同上の過流防止装置の一部切欠側面図である。
【図９】従来構成の施工状態を示す縦断面図である。
【符号の説明】
１  ルーフドレイン
３  ドレイン受皿
５  排水管部
１３  過流防止装置
１４  カバー体
１５ａ  固定カバー
１５ｂ  可動カバー
１７  支持縁
１８  螺子杆（保持手段）
２０ａ，２０ｂ  ナット（保持手段）
２１  通水口
２２  スライド蓋
ｆ  露天床面
【図１】
0004323727.tif 000002
【図２】
0004323727.tif 000003
【図３】
0004323727.tif 000004
【図４】
0004323727.tif 000005
【図５】
0004323727.tif 000006
【図６】
0004323727.tif 000007
【図７】
0004323727.tif 000008
【図８】
0004323727.tif 000009
【図９】
0004323727.tif 000010